(57)【要約】【課題】伝送手段および経路指定手段によって、少なくとも２個の遠隔通信設備ＥＤ−１〜ＥＤ−Ｋに結合された、ネットワークヘッド通信設備ＴＲを備えた、受動光ネットワークＲを提供すること。【解決手段】ネットワークヘッドＴＲは、ビットレートに従って、第一時間間隔にわたって持続する、伝送データによって変調された光搬送波の第一部分と、ビットレートに対応し、第二時間間隔にわたって持続する基本周波数でクロック信号によって変調された光搬送波の第二部分とのオルタネーションを遠隔設備ＥＤ−１〜ＥＤ−Ｋに伝送する。各遠隔設備は、一方で、第一および第二受信部分内で基本周波数を回復し、他方で、ネットワークヘッドによって同期化された選択されたタイムスロットの間、伝送データでネットワークヘッドが含むクロック信号を過変調した後で、連続して受信された第二部分の中でタイムスロットに対応する部分をネットワークヘッドに伝送する。【選択図】図３
2007143160.tif 000002
【特許請求の範囲】
【請求項１】
伝送手段および経路指定手段によって、遠隔と呼ばれる、少なくとも２個の通信設備（ＥＤ−ｋ）に結合された、ネットワークヘッドと呼ばれる、少なくとも１個の通信設備（ＴＲ）を備えた受動光ネットワーク（Ｒ）であって、前記ネットワークヘッド（ＴＲ）が、選択されたビットレートに従って、第一時間間隔の間、伝送されることになるデータによって変調された１つの光搬送波の第一部分と、前記ビットレートに対応し、第二時間間隔の間の基本周波数で、クロック信号によって変調された前記光搬送波の第二部分とのオルタネーションを遠隔設備（ＥＤ−ｋ）に伝送するように構成され、さらに各遠隔設備（ＥＤ−ｋ）が、一方で、第一受信部分内および第二受信部分内で前記基本周波数を回復し、他方で、ネットワークヘッドによって同期化された選択されたタイムスロットの間、伝送されることになるデータでネットワークヘッドが含むクロック信号を過変調した後で連続して受信された第二部分のうち少なくともいくつかの中で前記タイムスロットに対応する部分を前記ネットワークヘッド（ＴＲ）に伝送するように構成されることを特徴とする、受動光ネットワーク（Ｒ）。
【請求項２】
前記遠隔設備（ＥＤ−ｋ）が、少なくとも「非ゼロ復帰」（ＮＲＺ）と呼ばれる技術および「ゼロ復帰」（ＲＺ）と呼ばれる技術からなるグループから選択された技術に従って伝送されることになるデータで前記クロック信号を過変調するように構成されることを特徴とする、請求項１に記載のネットワーク。
【請求項３】
前記遠隔設備（ＥＤ−ｋ）が、非ゼロ復帰（ＮＲＺ）と呼ばれる前記技術に従って伝送されることになるデータで前記クロック信号を過変調するように構成されることを特徴とする、請求項２に記載のネットワーク。
【請求項４】
前記クロック信号が正弦波であることを特徴とする、請求項１から３の一項に記載のネットワーク。
【請求項５】
各々が少なくとも１個の入力／出力を備えた、Ｋ個の遠隔設備（ＥＤ−ｋ）と１個のネットワークヘッド（ＴＲ）とを備えた木構造を有するネットワークの形式で構成され、前記伝送手段および前記経路指定手段が、ｉ）前記ネットワークヘッド（ＴＲ）の入力／出力にリンクされた第一終端、および第二終端を備えたメイン光ファイバ（Ｆ１）と、ｉｉ）メイン光ファイバ（Ｆ１）の第二終端にリンクされた少なくとも１個の入力、および少なくともＫ個の出力を備えた光カップラ（ＣＯ１）と、ｉｉｉ）選択されたそれぞれの長さを有し、各々が前記光カップラ（ＣＯ１）のＫ個の出力のうち１個にリンクされた第一終端およびＫ個の遠隔設備（ＥＤ−ｋ）のうち１個の入力／出力にリンクされた第二終端を備えたＫ個の二次光ファイバ（Ｆ２−ｋ）とを備えることを特徴とする、請求項１から４の一項に記載のネットワーク。
【請求項６】
各々が１個の入力および１個の出力を備えた、Ｋ個の遠隔設備（ＥＤ−ｋ）と１個のネットワークヘッド（ＴＲ）とを備えた木構造を有するネットワークの形式で構成され、前記伝送手段および前記経路指定手段が、ｉ）ネットワークヘッド（ＴＲ）の出力にリンクされた第一終端、および第二終端を備えたダウンリンクメイン光ファイバ（Ｆ１Ｄ）と、ｉｉ）ダウンリンクメイン光ファイバ（Ｆ１Ｄ）の第二終端にリンクされた少なくとも１個の入力、および少なくともＫ個の出力を備えた第一光カップラ（ＣＯ１Ｄ）と、ｉｉｉ）選択されたそれぞれの長さを有し、各々が前記第一光カップラ（ＣＯ１Ｄ）のＫ個の出力のうち１個にリンクされた第一終端およびＫ個の遠隔設備（ＥＤ−ｋ）のうち１個の入力にリンクされた第二終端を備えたＫ本のダウンリンク二次光ファイバ（Ｆ２Ｄ−ｋ）と、ｉｖ）ネットワークヘッド（ＴＲ）の入力にリンクされた第一終端、および第二終端を備えたアップリンクメイン光ファイバ（Ｆ１Ｍ）と、ｖ）少なくともＫ個の入力およびアップリンクメイン光ファイバ（Ｆ１Ｍ）の第二終端にリンクされた少なくとも１個の出力を備えた第二光カップラ（ＣＯ１Ｍ）と、ｖｉ）選択されたそれぞれの長さを有し、各々が前記第二光カップラ（ＣＯ１Ｍ）のＫ個の入力のうち１個にリンクされた第一終端およびＫ個の遠隔設備（ＥＤ−ｋ）のうち１個の出力にリンクされた第二終端を備えたＫ本のアップリンク二次光ファイバ（Ｆ２Ｍ−ｋ）とを備えることを特徴とする、請求項１から４の一項に記載のネットワーク。
【請求項７】
１×Ｎ型の第一内部光分波器（ＤＯ１）にリンクされた入力およびＮ×１型の第一内部光合波器（ＭＯ１）の出力によって伝送された出力を備えたネットワークヘッド（ＴＲ）と、各々が１個の入力および１個の出力を備えたＫｎ個の遠隔設備（ＥＤ−ｋｎ）のＮ個のグループ（Ｇｎ）とを備えた木構造を有するネットワークの形式で構成され、前記伝送手段および前記経路指定手段が、ｉ）ネットワークヘッド（ＴＲ）の出力にリンクされた第一終端、および第二終端を備えたダウンリンクメイン光ファイバ（Ｆ１Ｄ）と、ｉｉ）ダウンリンクメイン光ファイバ（Ｆ１Ｄ）の第二終端にリンクされた少なくとも１個の入力、および少なくともＮ個の出力を備えた１×Ｎ型の第二光分波器（ＤＯ２）と、ｉｉｉ）前記第二光分波器（ＤＯ２）のＮ個の出力のうち１個にリンクされた少なくとも１個の入力、および各々がＮ個のグループ（Ｇｎ）のうち１個のうちのＫｎ個の遠隔設備（ＥＤ−ｋｎ）のうち１個の入力にリンクされた少なくともＫｎ個の出力を備えたＮ個の第一光カップラ（ＣＯ１−ｎ）と、ｉｖ）ネットワークヘッド（ＴＲ）の入力にリンクされた第一終端、および第二終端を備えたアップリンクメイン光ファイバ（Ｆ１Ｍ）と、ｖ）アップリンクメイン光ファイバ（Ｆ１Ｍ）の第二終端にリンクされた少なくともＮ個の入力および少なくとも１個の出力を備えたＮ×１型の第二光合波器（ＭＯ２）と、ｖｉ）各々がＮ個のグループ（Ｇｎ）のうち１個のうちのＫｎ個の遠隔設備（ＥＤ−ｋｎ）のうち１個の出力にリンクされた少なくともＫｎ個の入力および前記第二光合波器（ＭＯ２）のＮ個の入力のうち１個にリンクされた少なくとも１個の出力を備えたＮ個の第二光カップラ（ＣＯ２−ｎ）とを備えることを特徴とする、請求項１から４の一項に記載のネットワーク。
【請求項８】
ネットワークヘッドと呼ばれる通信設備（ＴＲ）に結合されるのに適した、遠隔と呼ばれる通信設備（ＥＤ−ｋ）のための送信／受信装置（Ｄ２）において、前記遠隔設備（ＥＤ−ｋ）および前記ネットワークヘッド（ＴＲ）が受動光ネットワーク（Ｒ）の部分を形成する、送信／受信装置（Ｄ２）であって、ｉ）１個の入力ならびに第一出力および第二出力を備え、選択されたビットレートに従って、第一時間間隔の間、データによって変調された光搬送波の第一部分と、前記ビットレートに対応し、第二時間間隔の間の基本周波数で、クロック信号によって変調された前記光搬送波の第二部分とのオルタネーションを、前記ネットワークヘッド（ＴＲ）からその入力上で受信するのに適したカップラ（ＣＯ２）と、ｉｉ）前記カップラ（ＣＯ２）の第一出力に結合され、第一受信部分内および第二受信部分内で前記基本周波数を回復するように構成された受信装置（Ｒｘ’）と、ｉｉｉ）前記カップラ（ＣＯ２）の第二出力に結合され、伝送されることになるデータでネットワークヘッドが含むクロック信号を過変調した後で、前記遠隔設備（ＥＤ−ｋ）によって連続的に受信された第二部分のうち少なくともいくつかの中でタイムスロットに対応する部分を、前記ネットワークヘッド（ＴＲ）によって同期化された選択された前記タイムスロットの間、このネットワークヘッドに伝送するように構成された伝送装置（Ｔｘ’）とを備えることを特徴とする、送信／受信装置（Ｄ２）。
【請求項９】
前記伝送装置（Ｔｘ’）が、少なくとも「非ゼロ復帰」（ＮＲＺ）と呼ばれる技術および「ゼロ復帰」（ＲＺ）と呼ばれる技術からなるグループから選択された技術に従って伝送されることになるデータで前記クロック信号を過変調するように構成されることを特徴とする、請求項８に記載の装置。
【請求項１０】
前記伝送装置（Ｔｘ’）が、非ゼロ復帰（ＮＲＺ）と呼ばれる前記技術に従って伝送されることになるデータで前記クロック信号を過変調するように構成されることを特徴とする、請求項９に記載の装置。
【請求項１１】
請求項８から１０の一項に記載の送信／受信装置（Ｄ２）を備えることを特徴とする、受動光ネットワーク用の遠隔通信設備（ＥＤ）。
【発明の詳細な説明】
【技術分野】
【０００１】
本発明は、受動光ネットワーク（Ｐａｓｓｉｖｅ  Ｏｐｔｉｃａｌ  Ｎｅｔｗｏｒｋｓ）（すなわちＰＯＮ）に関し、より具体的には「ネットワークヘッド」（すなわち「ハブ」）と呼ばれる通信設備と、そのようなＰＯＮネットワーク内の「遠隔」と呼ばれる通信設備との間のデータトラフィックの交換に関する。
【背景技術】
【０００２】
ここで表現「受動光ネットワーク」は、ネットワークヘッド（すなわちハブ）と遠隔設備との間で光／電気／光型の再生が実行されない光ネットワークを意味するものとして解釈される。これは、例えば木構造の光アクセスネットワークであってよい。
【０００３】
さらに、ここで表現「ネットワークヘッド」（すなわちハブ）は、その通信設備に接続されたその他の通信設備が、例えばリング型ネットワーク（ｒｉｎｇ  ｎｅｔｗｏｒｋ）などの別のネットワークにアクセスすることを可能にする通信設備を意味するものとして解釈される。これは、例えば該通信設備がリンクされたアクセスネットワークのアクセス権の管理ならびに、場合によっては（１つまたは複数の）波長の割当て管理が集中されたＯＬＴ（「光加入者線端局装置（Ｏｐｔｉｃａｌ  Ｌｉｎｅ  Ｔｅｒｍｉｎａｌ）」）型の設備であってよい。
【０００４】
さらに、ここで表現「遠隔設備」は、ネットワークヘッドによってのみ別のネットワークにアクセス可能な通信設備を意味するものとして解釈される。これは、例えば、場合によってはＯＮＵ（「光加入者線終端装置（Ｏｐｔｉｃａｌ  Ｎｅｔｗｏｒｋ  Ｕｎｉｔ）」）型のユーザ端末であってよい。
【０００５】
通信ネットワークオペレータの目的のうちの１つは、あまりにも多くの費用を生じさせずに、絶えず増加するユーザ数に絶えずより大きなビットレートを提供することである。この目的を達成するために、例えば、ＰＯＮ型のアクセスネットワーク、特に、高性能／費用比率を示すＰＯＮ型アクセスネットワークを使用することが可能である。そのような事例は、特にＲＣＭ−ＰＯＮ（「遠隔色管理型ＰＯＮ」）と呼ばれるアクセスネットワークの場合である。この種類のネットワークは、ＲＣＭ−ＯＮＵ型の波長独立型（ｗａｖｅｌｅｎｇｔｈ−ｉｎｄｅｐｅｎｄｅｎｔ）遠隔設備を、その中で波長の割当て管理が集中される単一ＯＬＴ型ネットワークヘッドとリンクすることに依存する木構造を有する。
【０００６】
いくつかのＲＣＭ−ＰＯＮネットワークでは、例えばネットワークヘッド（ＯＬＴ）は、選択されたビットレートに従って、第一時間間隔にわたって持続する、伝送されることになるデータによって変調された光搬送波の第一部分と、変調を伴わずに第二時間間隔にわたって持続する同じ光搬送波の第二部分とのオルタネーションを遠隔設備に伝送する。変調されたと呼ばれる第一部分は、ネットワークヘッドのクロック、より正確には伝送されたデータの選択されたビットレートに対応する基本周波数を回復するために各遠隔設備の受信装置（すなわち受信機）によって使用される。連続的と呼ばれる第二部分は、ネットワークヘッドにデータを伝送するために、各遠隔設備によって「オンライン」で使用される。より正確には、遠隔設備は、伝送されることになるデータと共に遠隔設備が受信する、第二時間間隔と同時に生じるタイムスロットにわたって持続する第二搬送波部分を変調することを行う伝送装置（すなわち送信機）を備える。
【０００７】
遠隔設備の受信装置（すなわち受信機）が受信する第二搬送波部分は、第一時間間隔に続く第二時間間隔の間、基本周波数の回復を可能にしないため、第一時間間隔が終了すると、該受信装置はもはや基本周波数を回復することができない。したがって、遠隔設備ではバーストモードで動作する受信装置（すなわち受信機）を使用しなければならず、これは費用がかかる。
【０００８】
この種類のＲＣＭ−ＰＯＮネットワークは特に以下の文献で説明されている。
・Ｄ１：Ｎ．Ｊ．Ｆｒｉｇｏ、Ｐ．Ｐ．Ｉａｎｎｏｎｅ、Ｐ．Ｄ．Ｍａｇｉｌｌ、Ｔ．Ｅ．Ｄａｒｃｉｅ、Ｍ．Ｍ．Ｄｏｗｎｓ、Ｂ．Ｎ．Ｄｅｓａｉ、Ｕ．Ｋｏｒｅｎ、Ｔ．Ｌ．Ｋｏｃｈ、Ｃ．Ｄｒａｇｏｎ、Ｈ．Ｍ．Ｐｒｅｓｂｙ、およびＧ．Ｅ．Ｂｏｄｅｅｐ、「Ａ  Ｗａｖｅｌｅｎｇｔｈ−Ｄｉｖｉｓｉｏｎ  Ｍｕｌｔｉｐｌｅｘｅｄ  Ｐａｓｓｉｖｅ  Ｏｐｔｉｃａｌ  Ｎｅｔｗｏｒｋ  ｗｉｔｈ  Ｃｏｓｔ−Ｓｈａｒｅｄ  Ｃｏｍｐｏｎｅｎｔｓ」、１３６５〜１３６７頁、ＩＥＥＥ  Ｐｈｏｔｏｎｉｃｓ  Ｔｅｃｈｎｏｌｏｇｙ  Ｌｅｔｔｅｒ、Ｖｏｌ．６、Ｎｏ１１、１９９４年１１月、および
・Ｄ２：Ｆｕ−Ｔａｉ  Ａｎ、Ｋｙｅｏｎｇ  Ｓｏｏ  Ｋｉｍ、Ｄａｖｉｄ  Ｇｕｔｉｅｒｒｅｚ、Ｓｃｏｔｔ  Ｙａｍ、Ｅｒｉｃ（Ｓｈｉｈ−Ｔｓｅ）Ｈｕ、Ｋａｐｉｌ  Ｓｈｒｉｋｈａｎｄｅ、およびＬｅｏｎｉｄ  Ｇ．Ｋａｚｏｖｓｋｙ、「ＳＵＣＣＥＳＳ：Ａ  Ｎｅｘｔ−Ｇｅｎｅｒａｔｉｏｎ  Ｈｙｂｒｉｄ  ＷＤＭ／ＴＤＭ  Ｏｐｔｉｃａｌ  Ａｃｃｅｓｓ  Ｎｅｔｗｏｒｋ  Ａｒｃｈｉｔｅｃｔｕｒｅ」、２５５７〜２５６９頁、Ｊｏｕｒｎａｌ  ｏｆ  Ｌｉｇｈｔｗａｖｅ  Ｔｅｃｈｎｏｌｏｇｙ、Ｖｏｌ．２２、Ｎｏ１１、２００４年１１月。
【０００９】
ＲＣＭ−ＰＯＮネットワークの様々な実施形態は以下の文献でも説明されている。
・Ｄ３：ＤＪ．Ｓｈｉｎ、Ｄ．Ｋ．Ｊｕｎｇ、Ｈ．Ｓ．Ｓｈｉｎ、Ｊ．Ｗ．Ｋｗｏｎ、Ｓｅｏｎｇｔａｅｋ  Ｈｗａｎｇ、Ｙ．Ｊ．Ｏｈ、およびＣ．Ｓ．Ｓｈｉｍ、「Ｈｙｂｒｉｄ  ＷＤＭ／ＴＤＭ−ＰＯＮ  ｆｏｒ  １２８  ｓｕｂｓｃｒｉｂｅｒｓ  ｕｓｉｎｇ  ａ−ｓｅｌｅｃｔｉｏｎ−ｆｒｅｅ  ｔｒａｎｓｍｉｔｔｅｒｓ」、ＰｏｓｔＤｅａｄｌｉｎｅ  ｐａｐｅｒ  ＰＤＰ４、ＯＦＣ’２００４、および
・Ｄ４：Ｎ．Ｄｅｎｇ、Ｎ．Ｃ．Ｃｈａｎ、Ｌ．Ｋ．Ｃｈｅｎ  Ｆ．Ｔｏｎｇ、「Ｄａｔａ  ｒｅ−ｍｏｄｕｌａｔｉｏｎ  ｏｎ  ｄｏｗｎｓｔｒｅａｍ  ＯＦＳＫ  ｓｉｇｎａｌ  ｆｏｒ  ｕｐｓｔｒｅａｍ  ｔｒａｎｓｍｉｓｓｉｏｎ  ｉｎ  ＷＤＭ  ｐａｓｓｉｖｅ  ｏｐｔｉｃａｌ  ｎｅｔｗｏｒｋ」、Ｅｌｅｃｔｒｏｎｉｃｓ  Ｌｅｔｔｅｒｓ、Ｖｏｌ．３９、Ｎｏ２４、１７４１〜１７４３頁、２００３年１１月。
【００１０】
しかし、これら２つの変更形態のいずれも十分満足のいくものではない。文献Ｄ３で説明された変更形態は、さらに短い範囲とかなり低いビットレートとを有する増幅自然放出（Ａｍｐｌｉｆｉｅｄ  Ｓｐｏｎｔａｎｅｏｕｓ  Ｅｍｉｓｓｉｏｎ）（すなわちＡＳＥ）の注入を伴うファブリーペロー共振器半導体レーザを用いる。文献Ｄ４で説明された変更形態は遠隔設備内で特定の受信装置の使用を必要とする（ステーションヘッド（ｓｔａｔｉｏｎ  ｈｅａｄ）から遠隔設備への）ダウンリンクトラフィックの位相変調を実行する。
【非特許文献１】Ｎ．Ｊ．Ｆｒｉｇｏ、Ｐ．Ｐ．Ｉａｎｎｏｎｅ、Ｐ．Ｄ．Ｍａｇｉｌｌ、Ｔ．Ｅ．Ｄａｒｃｉｅ、Ｍ．Ｍ．Ｄｏｗｎｓ、Ｂ．Ｎ．Ｄｅｓａｉ、Ｕ．Ｋｏｒｅｎ、Ｔ．Ｌ．Ｋｏｃｈ、Ｃ．Ｄｒａｇｏｎ、Ｈ．Ｍ．Ｐｒｅｓｂｙ、およびＧ．Ｅ．Ｂｏｄｅｅｐ、「Ａ  Ｗａｖｅｌｅｎｇｔｈ−Ｄｉｖｉｓｉｏｎ  Ｍｕｌｔｉｐｌｅｘｅｄ  Ｐａｓｓｉｖｅ  Ｏｐｔｉｃａｌ  Ｎｅｔｗｏｒｋ  ｗｉｔｈ  Ｃｏｓｔ−Ｓｈａｒｅｄ  Ｃｏｍｐｏｎｅｎｔｓ」、１３６５〜１３６７頁、ＩＥＥＥ  Ｐｈｏｔｏｎｉｃｓ  Ｔｅｃｈｎｏｌｏｇｙ  Ｌｅｔｔｅｒ、Ｖｏｌ．６、Ｎｏ１１、１９９４年１１月
【非特許文献２】Ｆｕ−Ｔａｉ  Ａｎ、Ｋｙｅｏｎｇ  Ｓｏｏ  Ｋｉｍ、Ｄａｖｉｄ  Ｇｕｔｉｅｒｒｅｚ、Ｓｃｏｔｔ  Ｙａｍ、Ｅｒｉｃ（Ｓｈｉｈ−Ｔｓｅ）Ｈｕ、Ｋａｐｉｌ  Ｓｈｒｉｋｈａｎｄｅ、およびＬｅｏｎｉｄ  Ｇ．Ｋａｚｏｖｓｋｙ、「ＳＵＣＣＥＳＳ：Ａ  Ｎｅｘｔ−Ｇｅｎｅｒａｔｉｏｎ  Ｈｙｂｒｉｄ  ＷＤＭ／ＴＤＭ  Ｏｐｔｉｃａｌ  Ａｃｃｅｓｓ  Ｎｅｔｗｏｒｋ  Ａｒｃｈｉｔｅｃｔｕｒｅ」、２５５７〜２５６９頁、Ｊｏｕｒｎａｌ  ｏｆ  Ｌｉｇｈｔｗａｖｅ  Ｔｅｃｈｎｏｌｏｇｙ、Ｖｏｌ．２２、Ｎｏ１１、２００４年１１月
【非特許文献３】ＤＪ．Ｓｈｉｎ、Ｄ．Ｋ．Ｊｕｎｇ、Ｈ．Ｓ．Ｓｈｉｎ、Ｊ．Ｗ．Ｋｗｏｎ、Ｓｅｏｎｇｔａｅｋ  Ｈｗａｎｇ、Ｙ．Ｊ．Ｏｈ、およびＣ．Ｓ．Ｓｈｉｍ、「Ｈｙｂｒｉｄ  ＷＤＭ／ＴＤＭ−ＰＯＮ  ｆｏｒ  １２８  ｓｕｂｓｃｒｉｂｅｒｓ  ｕｓｉｎｇ  ａ−ｓｅｌｅｃｔｉｏｎ−ｆｒｅｅ  ｔｒａｎｓｍｉｔｔｅｒｓ」、ＰｏｓｔＤｅａｄｌｉｎｅ  ｐａｐｅｒ  ＰＤＰ４、ＯＦＣ’２００４
【非特許文献４】Ｎ．Ｄｅｎｇ、Ｎ．Ｃ．Ｃｈａｎ、Ｌ．Ｋ．Ｃｈｅｎ  Ｆ．Ｔｏｎｇ、「Ｄａｔａ  ｒｅ−ｍｏｄｕｌａｔｉｏｎ  ｏｎ  ｄｏｗｎｓｔｒｅａｍ  ＯＦＳＫ  ｓｉｇｎａｌ  ｆｏｒ  ｕｐｓｔｒｅａｍ  ｔｒａｎｓｍｉｓｓｉｏｎ  ｉｎ  ＷＤＭ  ｐａｓｓｉｖｅ  ｏｐｔｉｃａｌ  ｎｅｔｗｏｒｋ」、Ｅｌｅｃｔｒｏｎｉｃｓ  Ｌｅｔｔｅｒｓ、Ｖｏｌ．３９、Ｎｏ２４、１７４１〜１７４３頁、２００３年１１月
【発明の開示】
【発明が解決しようとする課題】
【００１１】
本発明は、したがって先行技術に知られているこれら技術に代替の解決法を提案することを目的とする。
【課題を解決するための手段】
【００１２】
このために本発明は、伝送手段および経路指定手段によって、遠隔と呼ばれる、少なくとも２個の通信設備に結合された、ネットワークヘッドと呼ばれる、少なくとも１個の通信設備を備えた受動光ネットワークを提案し、該ネットワークヘッドは、選択されたビットレートに従って、第一時間間隔にわたって持続する、伝送されることになるデータによって変調された光搬送波の第一部分と、ビットレートに対応し、第二時間間隔にわたって持続する基本周波数（すなわち速度）で（例えば正弦波などの周期的な）クロック信号によって変調されたこの光搬送波の第二部分とのオルタネーションを遠隔設備に伝送することを行い、各遠隔設備は、一方で、第一部分内および第二部分内で基本周波数を回復することを行い、他方で、ネットワークヘッドによって同期化された選択されたタイムスロットの間、伝送されることになるデータでネットワークヘッドが含むクロック信号を過変調した後で、連続して受信された第二部分のうち少なくともいくつかの中でこれらタイムスロットに対応する部分をネットワークヘッドに伝送することを行う。
【００１３】
ここで表現「オルタネーション（ａｌｔｅｒｎａｔｉｏｎ）」は、（選択された存続期間Ｔｄの）第一時間間隔の間に第一部分を生成し、その後続いて、（選択された存続期間Ｔｕの）第二時間間隔の間に第二部分を生成し、第一部分から離れているが第二部分に連続して、次いで新たな第一時間間隔の間に新たな第一部分を再び生成し、その後続いて、新たな第二時間間隔の間に新たな第二部分を生成し、以下同様であることを意味するものとして解釈される。したがって、第一部分および第二部分は各々Ｔｄ＋Ｔｕに相当する周期に従って周期的に生成される。
【００１４】
本発明によるＰＯＮネットワークは、個別にまたは組み合わせて利用されることが可能なその他の特徴を含んでよく、特に、
・各遠隔設備は、「非ゼロ復帰」（すなわちＮＲＺ）と呼ばれる技術および「ゼロ復帰」（すなわちＲＺ）と呼ばれる技術の中から選択された技術を用いて伝送されることになるデータでクロック信号を過変調することを行ってよい。
【００１５】
・ＰＯＮネットワークは、例えば、各々が１個の入力／出力を備えたＫ個の遠隔設備と、１個の入力／出力を備えたネットワークヘッドとを備えた木構造を有するネットワークの形式で構成されてよい。この場合、その伝送手段および経路指定手段は、例えば、ｉ）該ネットワークヘッドの入力／出力にリンクされた第一終端、および第二終端を備え、ダウンリンクトラフィックと（遠隔設備からネットワークヘッドへの）アップリンクトラフィックとを伝送するための専用のメイン光ファイバと、ｉｉ）メイン光ファイバの第二終端にリンクされた少なくとも１個の入力、およびＫ個の出力を備えた光カップラと、ｉｉｉ）選択されたそれぞれの長さを有し、各々が光カップラのＫ個の出力のうち１個にリンクされた第一終端およびＫ個の遠隔設備のうち１個の入力／出力にリンクされた第二終端を備えたＫ本の二次光ファイバとを有する。
【００１６】
・第一の変更形態では、ＰＯＮネットワークは、例えば、各々１個の入力および１個の出力を備えたＫ個の遠隔設備と、１個の入力および１個の出力を備えた１個のネットワークヘッドとを備えた木構造を有するネットワークの形式で構成されてよい。この場合、その伝送手段および経路指定手段は、ｉ）ネットワークヘッドの出力にリンクされた第一終端、および第二終端を備えたダウンリンクメイン光ファイバと、ｉｉ）ダウンリンクメイン光ファイバの第二終端にリンクされた少なくとも１個の入力、および少なくともＫ個の出力を備えた第一光カップラと、ｉｉｉ）選択されたそれぞれの長さを有し、各々が第一光カップラのＫ個の出力のうち１個にリンクされた第一終端およびＫ個の遠隔設備のうち１個の入力にリンクされた第二終端を備えたＫ本のダウンリンク二次光ファイバと、ｉｖ）ネットワークヘッドの入力にリンクされた第一終端、および第二終端を備えたアップリンクメイン光ファイバと、ｖ）少なくともＫ個の入力およびアップリンクメイン光ファイバの第二終端にリンクされた少なくとも１個の出力を備えた第二光カップラと、ｖｉ）選択されたそれぞれの長さを有し、各々が第二光カップラのＫ個の入力のうち１個にリンクされた第一終端およびＫ個の遠隔設備のうち１個の出力にリンクされた第二終端を備えたＫ本のアップリンク二次光ファイバとを有する。
【００１７】
・第二の変更形態では、ＰＯＮネットワークは１×Ｎ型の第一内部光分波器（ｏｐｔｉｃａｌ  ｄｅｍｕｌｔｉｐｌｅｘｅｒ）にリンクされた入力およびＮ×１型の第一内部光合波器（ｏｐｔｉｃａｌ  ｍｕｌｔｉｐｌｅｘｅｒ）の出力によって伝送された出力を備えたネットワークヘッドと、各々が１個の入力および１個の出力を備えたＫｎ個の遠隔設備のＮ個のグループとを備えた木構造を有するネットワークの形式で構成されてよい。この場合、その伝送手段および経路指定手段は、ｉ）ネットワークヘッドの出力にリンクされた第一終端、および第二終端を備えたダウンリンクメイン光ファイバと、ｉｉ）ダウンリンクメイン光ファイバの第二終端にリンクされた少なくとも１個の入力、および少なくともＮ個の出力を備えた１×Ｎ型の第二内部光分波器と、ｉｉｉ）第二光分波器のＮ個の出力のうち１個にリンクされた少なくとも１個の入力および各々がＮ個のグループのうち１個のうちのＫｎ個の遠隔設備のうち１個の入力にリンクされた少なくともＫｎ個の出力を備えたＮ個の第一光カップラと、ｉｖ）ネットワークヘッドの入力にリンクされた第一終端、および第二終端を備えたアップリンクメイン光ファイバと、ｖ）少なくともＮ個の入力およびアップリンクメイン光ファイバの第二終端にリンクされた少なくとも１個の出力を備えたＮ×１型の第二光合波器と、ｖｉ）各々がＮ個のグループのうち１個のうちのＫｎ個の遠隔設備のうち１個の出力にリンクされた少なくともＫｎ個の入力および第二光合波器のＮ個の入力のうち１個にリンクされた少なくとも１個の出力を備えたＮ個の第二光カップラとを有する。
【００１８】
本発明は、受動光ネットワークにおいて、ネットワークヘッドと呼ばれる通信設備に結合されるのに適した、遠隔と呼ばれる通信設備のための送信／受信装置も提案する。
【００１９】
この送信／受信装置は以下を有することを特徴とする：
・１個の入力ならびに第一出力および第二出力を備え、選択されたビットレートに従って、第一時間間隔にわたって持続するデータによって変調された光搬送波の第一部分と、該ビットレートに対応し、第二時間間隔にわたって持続する基本周波数でクロック信号によって変調されたこの光搬送波の第二部分とのオルタネーションを、ネットワークヘッドからその入力上で受信するのに適した１個のカップラ、
・カップラの第一出力に結合され、第一受信部分内および第二受信部分内で基本周波数を回復することを行う受信装置、および
・カップラの第二出力に結合され、伝送されることになるデータでネットワークヘッドが含むクロック信号を過変調した後で、遠隔設備によって連続的に受信された第二部分のうち少なくともいくつかの中でこれらタイムスロットに対応する部分を、このネットワークヘッドによって同期化された選択されたタイムスロットの間、ネットワークヘッドに伝送することを行う伝送装置。
【００２０】
この送信／受信装置の伝送装置は、非ゼロ復帰（ＮＲＺ）技術およびゼロ復帰（ＲＺ）技術の中から選択された技術を用いて伝送されることになるデータでクロック信号を過変調することを行ってよい。
【００２１】
本発明は上に提示された型の送信／受信装置を備えた、遠隔と呼ばれる通信設備も提案する。
【００２２】
本発明は、これには限定されないが、特にＲＣＭ−ＰＯＮ型ネットワークに適している。
【００２３】
本発明の他の特徴および利点は以下の詳細な説明および添付の図面を考察することにより明らかになるであろう。
【００２４】
添付の図面は本発明を補完するのに役立つだけでなく、適切な場合、その定義にも寄与することができるであろう。
【００２５】
本発明は、受動光ネットワーク（ＰＯＮ）の、遠隔と呼ばれる通信設備の受信装置（すなわち受信機）の同期化を可能にすることを目的とする。
【発明を実施するための最良の形態】
【００２６】
まず、単に例示的であり、したがって限定的ではない第１の例示的な実施形態を参照して本発明を提示するために、図１および図２を参照する。
【００２７】
図１に例示されたように、受動光ネットワーク（すなわちＰＯＮ）Ｒは、一般に「ネットワークヘッド」（すなわちハブ）と呼ばれる、少なくとも１個の通信設備ＴＲと、伝送手段および経路指定手段によって該ネットワークヘッドＴＲに結合された、遠隔と呼ばれる少なくとも２個の通信設備ＥＤ−ｋ（ｋ＝１からＫかつＫ＞１）とを備える。
【００２８】
後に続く説明において、ネットワークＲは、非限定的な例として、ＲＣＭ−ＰＯＮ（遠隔色管理型ＰＯＮ）型のネットワークであり、ネットワークヘッドＴＲはＯＬＴ（光加入者線端局装置）型の設備であり、遠隔設備はＯＮＵ（光加入者線終端装置）型であると考えられる。しかし、本発明はこれらの型の通信設備およびこの特定の型のＰＯＮネットワークに限定されない。
【００２９】
ネットワークヘッドＴＲは、以下で第一送信機と呼ばれる、本発明による、データを伝送するための少なくとも１個の第一装置（すなわちモジュール）Ｄ１および、以下で第一受信機と呼ばれる、データを受信するための少なくとも１個の第一装置（すなわちモジュール）Ｒｘを備える。
【００３０】
図１に例示された非限定的な例では、ネットワークヘッドＴＲは、図３を参照してさらに説明されることになる第２の例示的な実施形態で理解されるであろう１個の入力および１個の出力ではなく、１個の入力／出力を備える。この入力／出力は、やはり第一送信機Ｄ１の出力と第一受信機Ｒｘの入力とに接続されたサーキュレータＣＲ１に接続される。
【００３１】
第一送信機Ｄ１は、遠隔設備ＥＤ−ｋに向けて、光搬送波の第一部分Ｐ１および第二部分Ｐ２Ｄのオルタネーションを生成することを行う。ここで表現「オルタネーション」は（選択された存続期間Ｔｄの）第一時間間隔の間に第一部分Ｐ１を生成し、その後続いて、（選択された存続期間Ｔｕの）第二時間間隔の間に第二部分Ｐ２Ｄを生成し、第一部分から離れているが第二部分に連続して、次いで新たな第一時間間隔の間に新たな第一部分Ｐ１を再び生成し、その後続いて、新たな第二時間間隔の間に新たな第二部分Ｐ２Ｄを生成し、以下同様であることを意味するものとして解釈される。したがって、第一部分Ｐ１および第二部分Ｐ２Ｄは各々Ｔｄ＋Ｔｕに相当する周期に従って周期的に生成される。
【００３２】
各第一時間間隔は、間にネットワークヘッドＴＲがデータを遠隔設備ＥＤ−ｋに伝送する位相に対応し、一方、各第二時間間隔は、この先で理解されるように、起こりうる時間的重なりを伴い、間に様々な遠隔設備ＥＤ−ｋがネットワークヘッドＴＲに次々とデータを伝送することが可能にされる位相に対応する。したがって、各遠隔設備ＥＤ−ｋは、ネットワークヘッドＴＲにデータを伝送するための各第二時間間隔の断片（すなわち「スロット」またはタイムスロット）を有する。
【００３３】
第一送信機Ｄ１は、搬送波、すなわちレーザラインを生成することを行い、さらに一方で、第一部分Ｐ１を構成できるよう、各第一時間間隔の間に、選択されたビットレート（例えば、１秒当たり１ギガビット）に従って伝送されることになるデータでこの搬送波を変調することを行い、他方で、第二部分Ｐ２Ｄを構成できるよう、該ビットレートに対応し、各第二時間間隔にわたって持続する基本周波数（１秒当たり１ギガビットのビットレートの場合、１ギガヘルツ）でクロック信号によって搬送波を変調することを行う生成モジュール（ｇｅｎｅｒａｔｉｏｎ  ｍｏｄｕｌｅ）ＭＧを備える。
【００３４】
例えば、生成モジュールＭＧは、搬送波を生成することを行うレーザと、この搬送波の第一部分Ｐ１と第二部分Ｐ２Ｄとを変調することを行う変調器とを備える。
【００３５】
例えば、クロック信号は正弦波である。しかし、クロック信号はその周波数が搬送波の第一部分Ｐ１の変調の基本周波数に対応する任意の種類の周期的信号であってよい。
【００３６】
搬送波の第一部分Ｐ１の変調は、「ゼロ復帰」（すなわちＲＺ）と呼ばれる技術または「非ゼロ復帰」（すなわちＮＲＺ）と呼ばれる技術を用いて実施されてよい。
【００３７】
本発明により変調された第一搬送波部分Ｐ１および第二搬送波部分Ｐ２Ｄのオルタネーションは、この先で説明される伝送手段および経路指定手段を経由して遠隔設備ＥＤ−ｋに伝送できるよう、第一送信機Ｄ１によってサーキュレータＣＲ１に通信される。
【００３８】
各遠隔設備ＥＤ−ｋは、以下で第二送信機と呼ばれることになる、データを伝送するための第二装置（すなわちモジュール）Ｔｘ’、以下で第二受信機と呼ばれることになる、データを受信するための第二装置（すなわちモジュール）Ｒｘ’、および１×２（１個の入力ならびに第一出力および第二出力）型のカップラＣＯ２からなる送信／受信装置Ｄ２を備える。
【００３９】
図１に例示された非限定的な例では、各遠隔装置ＥＤ−ｋは、図３を参照してこの先で説明されることになる第２の例示的な実施形態で理解されるであろう１個の入力および１個の出力ではなく、１個の入力／出力を備える。この入力／出力は、やはり送信／受信機Ｄ２の第二送信機Ｔｘ’の出力と第二受信機Ｒｘ’の入力とに接続されたサーキュレータＣＲ２に接続される。
【００４０】
各第二受信機Ｒｘ’は、一方で、搬送波の第一部分Ｐ１を変調するデータを抽出できるように、他方で、該データのビットレートに対応し、各第二受信機Ｒｘ’およびその遠隔設備ＥＤ−ｋをネットワークヘッドＴＲのクロックに設定することを可能にする基本周波数を決定できるように、搬送波の第一部分Ｐ１を受信することを行う。この設定は、特に、遠隔設備ＥＤ−ｋの第二送信機Ｔｘ’がネットワークヘッドＴＲに向けてデータを伝送することが可能にされる初期時刻（ｉｎｓｔａｎｔ）およびこの第二送信機Ｔｘ’がデータを伝送することがもはや可能とされない終端時刻を決定する場合に役立つ。したがって、これら初期時刻および終端時刻は、ネットワークヘッドＴＲのクロックに関して、所与の遠隔設備ＥＤ−ｋの伝送タイムスロットの設定を非常に正確に定義する。
【００４１】
各第二受信機Ｒｘ’は、搬送波を変調するクロック信号によって定義された基本周波数を決定し続けることができるよう、搬送波の第二部分Ｐ２Ｄも受信する。したがって、第二受信機Ｒｘ’は、第一時間間隔であろうと第二時間間隔であろうと、中断せずに、基本周波数を利用可能にし、その結果、第二受信機Ｒｘ’は自らをネットワークヘッドＴＲのクロックに合わせて永久に設定することが可能になる。
【００４２】
これにより遠隔装置ＥＤ−ｋ内で、費用がかなり大きくかつ受信感度に関する性能が若干低いバーストモードで動作する受信機ではなく、通常の第二受信機Ｒｘ’を使用することが可能になるため、これは特に有利である。
【００４３】
第二送信機Ｔｘ’も、第二受信機Ｒｘ’に伝送するサーキュレータＣＲ２の出力に結合された１×２型の光カップラＣＯ２によって第一搬送波部分Ｐ１と第二搬送波部分Ｐ２Ｄの選択された断片を受信する。第二送信機Ｔｘ’は、その遠隔装置ＥＤ−ｋの第二受信機Ｒｘ’によって永久に決定される基本周波数によって、ネットワークヘッドＴＲのクロックに関して同期化される。
【００４４】
第二送信機Ｔｘ’は、ネットワークヘッドＴＲに伝送されることになるデータで、第二送信機Ｔｘ’が受信する第二部分Ｐ２Ｄのうち少なくともいくつかの搬送波を変調するクロック信号を過変調することを行う。遠隔装置ＥＤ−ｋは各第二時間間隔において第二送信機Ｔｘ’に割り当てられたタイムスロット内でネットワークヘッドＴＲに伝送されることになるデータを必ずしも有さないとすれば、搬送波の第二部分Ｐ２Ｄのすべてが強制的に過変調されるわけではない。
【００４５】
図２に例示されたように、各送信／受信装置Ｄ２の第二送信機Ｔｘ’は、例えば、光ゲートＰＯおよび光変調器ＭＯを備えてよい。
【００４６】
光ゲートＰＯは、光カップラＣＯ２の２個の出力のうち１個に結合された１個の入力および光変調器ＭＯの入力に結合された１個の出力を備える。この光ゲートＰＯは、その遠隔装置ＥＤ−ｋがネットワークヘッドＴＲに向けてアップリンクトラフィックを伝送することが可能にされるタイムスロットの間のみ、光変調器ＭＯに各第二搬送波部分Ｐ２Ｄを伝送することを可能にすることを行う。これは、例えば、ＳＯＡ（「半導体光増幅器」）など、バーストモードで動作する光ゲートであってよいが、強制的ではない。実際に、例えば、ニオブ酸リチウムスイッチなど、任意の種類の高速光ゲートを使用することが可能である。
【００４７】
光変調器ＭＯは、アップリンクトラフィック内で伝送されなければならないデータＤＭで第二搬送波部分Ｐ２Ｄを変調するクロック信号を過変調できるよう、これらデータＤＭならびに第二搬送波部分Ｐ２Ｄの各断片を受信する。
【００４８】
クロック信号のこの過変調は、「ゼロ復帰」（すなわちＲＺ）と呼ばれる技術を用いて実行されてよい。しかし、「非ゼロ復帰」（すなわちＮＲＺ）と呼ばれる技術を用いて実行されることが好ましい。特に、（周期的な）クロック信号がＮＲＺ技術で変調される場合、結果として生じる信号は自動的にＲＺ形式で得られる。これはそのようなＲＺ変調形式を得るために別の設備で光変調器ＭＯを補完する必要を防止するため、有利である。
【００４９】
したがって、光変調器ＭＯは搬送波の第二アップリンク部分Ｐ２Ｍをその出力上に送出する。図１で例示された例では、伝送手段および経路指定手段を経由して遠隔設備ＥＤ−ｋによってネットワークヘッドＴＲに伝送されるように、搬送波の第二のアップリンク部分Ｐ２ＭはサーキュレータＣＲ２に供給される。その後、ネットワークヘッドＴＲの第一受信機Ｒｘは、受信する各第二アップリンク搬送波部分Ｐ２Ｍから、該搬送波部分Ｐ２Ｍが含むデータＤＭを抽出することを行う。
【００５０】
ここで、ネットワークヘッドＴＲを遠隔設備ＥＤ−ｋに結合することを可能にする伝送手段および経路指定手段の３つの例を説明しなければならない。
【００５１】
図１に例示された例は、アップリンクトラフィックとダウンリンクトラフィックとが同じ（双方向）媒質を進む、木構造を有するＰＯＮネットワークＲに対応する。
【００５２】
このために、伝送手段および経路指定手段は以下を備える：
・ネットワークヘッドＴＲの入力／出力（したがって、そのサーキュレータＣＲ１）にリンクされた第一終端、および第二終端を備えた、メインと呼ばれる光ファイバＦ１。このメイン光ファイバＦ１はすべてのアップリンクトラフィックおよびダウンリンクトラフィックの双方向伝送を確実にする。
【００５３】
・メイン光ファイバＦ１の第二終端にリンクされた少なくとも１個の入力／出力およびＫ個の出力／入力を備えた光カップラＣＯ１。この光カップラＣＯ１は、一方で、光カップラＣＯ１がその入力／出力上で受信するダウンリンクトラフィックのＫ個の同一断片をそのＫ個の出力／入力上で送出することを行い、他方で、そのＫ個の出力／入力上で受信された第二搬送波部分からなる時間多重（ｔｉｍｅ  ｍｕｌｔｉｐｌｅｘ）を光カップラＣＯ１の入力／出力上で送出することを行う。
【００５４】
・選択されたそれぞれの長さを有し、各々が光カップラＣＯ１のＫ個の出力／入力のうち１個にリンクされた第一終端、およびＫ個の遠隔設備ＥＤ−ｋ（ＥＤ−１からＥＤ−Ｋ）のうち１個の入力／出力にリンクされ、したがって、そのサーキュレータＣＲ２にリンクされた第二終端を備えた、二次と呼ばれるＫ本の光ファイバＦ２−ｋ（Ｆ２−１からＦ２−Ｋ）。これら二次光ファイバＦ２−ｋは、これら二次光ファイバＦ２−ｋがそれぞれ結合された遠隔設備ＥＤ−ｋに関連するアップリンクトラフィックおよびダウンリンクトラフィックの双方向伝送を確実にする。
【００５５】
Ｋ本の光ファイバＦ２−ｋのそれぞれの長さＬｋは、例えば、そのデータＤＭを伝送するために各第二搬送波部分を用いた遠隔設備ＥＤ−ｋの数に比例する遅延を伴って、各第二搬送波部分がネットワークヘッドＲＴに戻るように選択される。その結果、２つの連続的な遠隔設備ＥＤ−ｋおよびＥＤ−ｋ＋１から発生する搬送波の２つの第二アップリンク部分Ｐ２Ｍの間の遅延ｏｔは一定である。
【００５６】
様々な遠隔設備ＥＤ−ｋ間の容量の分配を最大限にするために、遠隔設備ＥＤ−ｋがそのデータＤＭを伝送できるグローバル期間（ｇｌｏｂａｌ  ｐｅｒｉｏｄ）は、ネットワークヘッドＴＲがそのデータを搬送波の第一部分Ｐ１内で伝送できる２つの第一連続時間間隔の間の期間（Ｔｄ＋Ｔｕ）に等しくてよい。この場合、搬送波の２つの第二アップリンク部分Ｐ２Ｍの間の遅延ｏｔは（Ｔｄ＋Ｔｕ）／Ｋに等しい。その場合、遠隔設備ＥＤ−ｋの少なくとも２つのスロット（伝送タイムスロット）の部分的な重複が発生する可能性があり、そのため、ネットワークヘッドＴＲはこれら遠隔設備ＥＤ−ｋから発生するデータを受信できることを意味する。様々な遠隔設備ＥＤ−ｋ間の容量の分配を可能にするのはこの特徴である。
【００５７】
もちろん、長さＬｋのその他の分配が想定されてよい。
【００５８】
さらに、様々な遠隔設備ＥＤ−ｋに割り当てられたスロット（すなわち伝送タイムスロット）の存続期間は等しくなくてよい点に留意されよう。該存続期間は実際には、通過域の点から、存続期間の要件に応じて異なってよい。さらに、所与のスロットの間に遠隔設備ＥＤ−ｋによって使用されない第二部分の一部は、ネットワークヘッドがそれを可能にする場合、それぞれスロットの付加物として、別の遠隔設備、例えばＥＤ−ｋ−１またはＥＤ−ｋ＋１によって使用されてよい。
【００５９】
これは様々なユーザのトラフィックプロファイルを考慮することを可能にし、さらに、例えば各遠隔設備の容量を時刻に応じて適合させることを可能にする。
【００６０】
図３に例示された例は、やはり木構造であり、アップリンクトラフィックとダウンリンクトラフィックとが異なる（一方向）媒質を進むＰＯＮ型のネットワークＲに対応する。
【００６１】
この第２の例示的な実施形態は、図１を参照して上に提示された型のネットワークによって示される可能性がある欠点を軽減することを目的とする。特に、この種類のネットワークでは、アップリンクＰ２Ｍ搬送波およびダウンリンクＰ１搬送波ならびにダウンリンクＰ２Ｄ搬送波は同じ波長を示し、かつ同じ媒質を進み、これは伝送を妨げる傾向がある後方散乱効果を引き起こす可能性がある。
【００６２】
この潜在的な欠点を軽減するために、伝送手段および経路指定手段は、この場合、以下を備える：
・ネットワークヘッドＴＲの出力（より正確には、その第一送信機Ｄ１の出力）にリンクされた第一終端、および第二終端を備えた、ダウンリンクメインと呼ばれる光ファイバＦ１Ｄ。このダウンリンクメイン光ファイバＦ１Ｄは、ダウンリンクトラフィックの一方向伝送を確実にする。
【００６３】
・ダウンリンクメイン光ファイバＦ１Ｄの第二終端にリンクされた少なくとも１個の入力、および少なくともＫ個の出力を備えた、１×Ｋ型の第一光カップラＣＯ１Ｄ。この光カップラＣＯ１Ｄは、光カップラＣＯ１Ｄがその入力上で受信するダウンリンクトラフィックのＫ個の同一断片をそのＫ個の出力上で送出することを行う。
【００６４】
・（場合によっては異なる）選択されたそれぞれの長さを有し、各々が第一光カップラＣＯ１ＤのＫ個の出力のうち１個にリンクされた第一終端、およびＫ個の遠隔設備ＥＤ−ｋ（ＥＤ−１からＥＤ−Ｋ）のうち１個の入力にリンクされ、したがって光カップラＣＯ２を経由してその第二受信機Ｒｘ’およびその第二送信機Ｔｘ’にリンクされた第二終端を備えた、ダウンリンク二次と呼ばれるＫ本の光ファイバＦ２Ｄ−ｋ（ｋ＝１からＫ−Ｆ２Ｄ−１からＦ２Ｄ−Ｋ）。これらダウンリンク二次光ファイバＦ２Ｄ−ｋは、ダウンリンク二次光ファイバＦ２Ｄ−ｋがそれぞれ結合された遠隔設備ＥＤ−ｋに向けたダウンリンクトラフィックの一方向伝送を確実にする。
【００６５】
・ネットワークヘッドＴＲの入力（より正確には、その第一受信機Ｒｘ）にリンクされた第一終端、および第二終端を備えた、アップリンクメインと呼ばれる光ファイバＦ１Ｍ。このアップリンクメイン光ファイバＦ１Ｍは、すべてのアップリンクトラフィックの一方向伝送を確実にする。
【００６６】
・少なくともＫ個の入力およびアップリンクメイン光ファイバＦ１Ｍの第二終端にリンクされた少なくとも１個の出力を備えた、Ｋ×１型の第二光カップラＣＯ１Ｍ。この光カップラＣＯ１Ｍは、そのＫ個の入力上で受信された第二搬送波部分からなる時間多重をその出力上で送出することを行う。
【００６７】
・（場合によっては異なる）選択されたそれぞれの長さを有し、各々が第二光カップラＣＯ１ＭのＫ個の入力のうち１個にリンクされた第一終端およびＫ個の遠隔設備ＥＤ−ｋのうち１個の出力にリンクされた第二終端を備えた、アップリンク二次と呼ばれるＫ本の光ファイバＦ２Ｍ−ｋ（ｋ＝１からＫ、すなわちＦ２Ｍ−１からＦ２Ｍ−Ｋ）。これらアップリンク二次光ファイバＦ２Ｍ−ｋは、アップリンク二次光ファイバＦ２Ｍ−ｋがそれぞれ結合された遠隔設備ＥＤ−ｋから発生するアップリンクトラフィックの一方向伝送を確実にする。
【００６８】
ダウンリンク二次光ファイバＦ２Ｄ−ｋおよび／またはアップリンク二次光ファイバＦ２Ｍ−ｋの様々な長さＬｋは、図１を参照して予め説明された第１の例の場合と同じ方法で選択される。
【００６９】
さらに、この第２の例示的な実施形態では、アップリンク経路とダウンリンク経路とは分離され、各遠隔設備ＥＤ−ｋは、一方で、１×２型の光カップラＣＯ２によってダウンリンク経路ならびに第二受信機Ｒｘ’および第二送信機Ｔｘ’に結合された入力を備え、他方で、第二送信機Ｔｘ’の出力に結合された出力を備える。構成におけるこの違いを除いて、第二送信機Ｔｘ’の動作は図１および図３を参照して予め説明された動作と同一である。
【００７０】
図４に例示された例は、やはり木構造であるＰＯＮ型のネットワークＲに対応する。この場合、例示的かつ非限定的な例として、アップリンクトラフィックとダウンリンクトラフィックとが異なる（一方向）媒質を進む。
【００７１】
この第３の例示的な実施形態は、ＷＤＭ（波長分割多重）型の多重化の枠組み範囲内で、ネットワークヘッドＴＲによる、それぞれＫｎ個の異なる遠隔設備のＮ個のグループＧｎに関連する複数のＮ個の波長の使用を可能にすることを目的とする。より正確には、この第３の例は、ファイバ資源が不足し、したがって費用がかかるようになる場合（これは、例えば、すでに設置されたファイバ基盤がベースである場合の可能性がある）、１個の同じネットワークヘッドに接続された遠隔局の数を増やすことを可能にする。
【００７２】
このために、ネットワークヘッドＴＲは、図１を参照して予め提示された型の、ｎ＝１からＮかつＮ＞１の、Ｎ個の第一送信機Ｄ１−ｎ（Ｄ１−１からＤ１−Ｎ）、およびＮ個の第一受信機Ｒｘ−ｎ（Ｒｘ−１からＲｘ−Ｎ）を備える。各第一送信機Ｄ１−ｎは所与の波長の搬送波専用である。Ｎ個の第一送信機Ｄ１−ｎの複数の出力は、それぞれＮ×１型の第一光合波器ＭＯ１のＮ個の入力に接続され、その出力はＮ個の第一送信機Ｄ１−ｎによって生成された第一搬送波部分および第二搬送波部分からなる異なる波長のチャネルの多重を送出することを目的とする。各第一受信機Ｒｘ−ｎは所与の波長の搬送波専用である。Ｎ個の受信機Ｒｘ−ｎの複数の入力は、それぞれ１×Ｎ型の第一光分波器ＤＯ１のＮ個の出力に接続され、その入力はＫｎ個の遠隔設備のＮ個のグループＧｎの第二送信機Ｔｘ’によって過変調された第二搬送波部分からなる多重を受信する。
【００７３】
この場合、伝送手段および経路指定手段は以下を備える：
・ネットワークヘッドＴＲの出力（より正確には、その第一光合波器ＭＯ１の出力）にリンクされた第一終端、および第二終端とを備えた、ダウンリンクメインと呼ばれる１本の光ファイバＦ１Ｄ。このダウンリンクメイン光ファイバＦ１Ｄは、多重化されたダウンリンクトラフィックの一方向伝送を確実にする。
【００７４】
・ダウンリンクメイン光ファイバＦ１Ｄの第二終端にリンクされた少なくとも１個の入力、および少なくともＮ個の出力を備えた、１個の１×Ｎ型の第二光分波器ＤＯ２。この第二光分波器ＤＯ２は、第二光分波器ＤＯ２がその入力上で、多重化形式で受信するＮ個の異なる波長のＮ個の第一搬送波部分および第二搬送波部分をそれぞれそのＮ個の出力上で送出することを行う。
【００７５】
・各々が第二光分波器ＤＯ２のＮ個の出力のうち１個にリンクされた少なくとも１個の入力、および少なくともＫｎ個の出力を備えた、Ｎ個の１×Ｋｎ型の第一光カップラＣＯ１Ｄ−ｎ（ＣＯ１Ｄ−１からＣＯ１Ｄ−Ｎ）。各光カップラＣＯ１Ｄ−ｎは、光カップラＣＯ１Ｄ−ｎがその入力上で受信し、所与の波長の搬送波に対応するダウンリンクトラフィックのＫｎ個の同一断片をそのＫｎ個の出力上で送出することを行う。
【００７６】
・（場合によっては異なる）選択されたそれぞれの長さを有し、各々が対応するグループＧｎの第一光カップラＣＯ１Ｄ−ｎのＫｎ個の出力のうち１個にリンクされた第一終端およびＮ個の異なるグループＧｎのうち１個のうちのＫｎ個の遠隔設備ＥＤ−ｋｎ（ｋ＝１からＫｎかつｎ＝１からＮ、すなわちＥＤ−１１からＥＤ−ＫＮ）のうち１個の入力にリンクされ、したがって、光カップラＣＯ２を経由してその第二受信機Ｒｘ’およびその第二送信機Ｔｘ’にリンクされた第二終端を備えた、ダウンリンク二次と呼ばれる、Ｋｎ本の光ファイバのＮ個のグループ。これらダウンリンク二次光ファイバは、ダウンリンク二次光ファイバがそれぞれ結合される遠隔設備ＥＤ−ｋｎに向けたダウンリンクトラフィックの一方向伝送を確実にする。
【００７７】
・ネットワークヘッドＴＲの入力（より正確には、その第一分波器ＤＯ１）にリンクされた第一終端、および第二終端を備えた、アップリンクメインと呼ばれる１本の光ファイバＦ１Ｍ。このアップリンクメイン光ファイバＦ１Ｍは、すべての多重化アップリンクトラフィックの一方向伝送を確実にする。
【００７８】
・少なくともＮ個の入力およびアップリンクメイン光ファイバＦ１Ｍの第二終端にリンクされた少なくとも１個の出力を備えた、１個のＮ×１型の第二光合波器ＭＯ２。この第二光合波器ＭＯ２はその出力上で、第二光合波器ＭＯ２がそのＮ個の入力上で受信するＮ個の異なる波長のＫｎ個の過変調された第二搬送波部分のＮ個の時間多重をその出力上で多重化形式で送出することを行う。
【００７９】
・各々がＮ個のグループＧｎのうち１個に関連し、かつ各々が少なくともＫｎ個の入力および第二光合波器ＭＯ２のＮ個の入力のうち１個にリンクされた少なくとも１個の出力を備えた、Ｎ個のＫｎ×１型の第二光カップラＣＯ１Ｍ−ｎ（ＣＯ１Ｍ−１からＣＯ１Ｍ−Ｎ）。グループＧｎに関連する各光カップラＣＯ１Ｍ−ｎは、そのグループＧｎのＫｎ個の遠隔エレメントから発生し、そのＫｎ個の入力上で受信された第二搬送波部分からなる時間多重をその出力上で送出することを行う。
【００８０】
・（場合によっては異なる）選択されたそれぞれの長さを有し、各々が対応するグループＧｎの第二光カップラＣＯ１Ｍ−ｎのＫｎ個の入力のうち１個にリンクされた第一終端およびグループＧｎのＫｎ個の遠隔設備ＥＤ−ｋｎ（ｋ＝１からＫｎかつｎ＝１からＮ、すなわちＥＤ−１１からＥＤ−ＫＮ）のうち１個の出力にリンクされ、したがって、その第二送信機Ｔｘ’にリンクされた第二終端を備えた、アップリンク二次と呼ばれる、Ｋｎ本の光ファイバのＮ個のグループ。これらアップリンク二次光ファイバは、アップリンク二次光ファイバがそれぞれ結合される遠隔設備ＥＤ−ｋｎから発生するアップリンクトラフィックの一方向伝送を確実にする。
【００８１】
本発明は、例としてのみ上に説明された、遠隔と呼ばれる通信設備の送信／受信装置および受動光ネットワークの実施形態に限定されず、特許請求の範囲内で当業者によって想定されることが可能なすべての変更形態を包括する。
【図面の簡単な説明】
【００８２】
【図１】本発明による、ネットワークヘッドと遠隔設備とを備えた受動光ネットワーク（ＰＯＮ）の第１の例示的な実施形態を非常に概略的に示す図である。
【図２】本発明による、送信／受信装置を備えた、データを伝送するための第二装置の１つの例示的な実施形態を非常に概略的に示す図である。
【図３】本発明による、ネットワークヘッドと遠隔設備とを備えた受動光ネットワーク（ＰＯＮ）の第２の例示的な実施形態を非常に概略的に示す図である。
【図４】本発明による、ネットワークヘッドと遠隔設備とを備えた受動光ネットワーク（ＰＯＮ）の第３の例示的な実施形態を非常に概略的に示す図である。
【符号の説明】
【００８３】
ＣＯ１  光カップラ
ＣＯ１Ｄ  第一光カップラ
ＣＯ１Ｍ  第二光カップラ
ＣＯ２  カップラ
Ｄ２  送信／受信機
ＤＯ１  第一光分波器
ＤＯ２  第二光分波器
ＥＤ−ｋ  遠隔通信設備
Ｆ１  メイン光ファイバ
Ｆ１Ｄ  ダウンリンクメイン光ファイバ
Ｆ１Ｍ  アップリンクメイン光ファイバ
Ｆ２Ｄ  ダウンリンク二次光ファイバ
Ｆ２Ｍ−ｋ  アップリンク二次光ファイバ
ＭＯ１  第一光合波器
ＭＯ２  第二光合波器
Ｒ  受動光ネットワーク
Ｒｘ’  受信装置
ＴＲ  ネットワークヘッド
Ｔｘ’  伝送装置
【図１】
2007143160.tif 000003
【図２】
2007143160.tif 000004
【図３】
2007143160.tif 000005
【図４】
2007143160.tif 000006
【外国語明細書】
2007143160.tif 000007
2007143160.tif 000008
2007143160.tif 000009
2007143160.tif 000010
2007143160.tif 000011
2007143160.tif 000012
2007143160.tif 000013
2007143160.tif 000014
2007143160.tif 000015
2007143160.tif 000016
2007143160.tif 000017
2007143160.tif 000018
2007143160.tif 000019
2007143160.tif 000020
2007143160.tif 000021
2007143160.tif 000022
2007143160.tif 000023
2007143160.tif 000024
2007143160.tif 000025
2007143160.tif 000026
2007143160.tif 000027
2007143160.tif 000028
2007143160.tif 000029
2007143160.tif 000030
2007143160.tif 000031